(57)【要約】【課題】コイルスプリングや板バネを用いないクリック機構を実現することで、電子機器の小型化を図るとともに、組立性の向上を図る仕組みを提供する。【解決手段】デジタルカメラの操作部材１０は、周方向に複数のクリック溝１０ａｂが形成される操作ダイアル１０ａと、操作ダイアル１０ａを回転可能に保持する保持部材１０ｃと、を備える。保持部材１０ｃには、クリック溝１０ａｂに係脱可能な鋼球１０ｆを収納する収納部１０ｃａを形成し、操作ダイアル１０ａを回転させると、収納部１０ｃａが弾性変形することで、鋼球１０ｆをクリック溝１０ａｂに係合する方向に付勢する。【選択図】図２
2013097970.tif 000002
【特許請求の範囲】
【請求項１】
操作部材を備える電子機器であって、
前記操作部材は、
複数の第１のクリック溝が周方向に形成される操作ダイアルと、
前記操作ダイアルを回転可能に保持する保持部材とを備え、
前記保持部材には、前記第１のクリック溝に係脱可能な係合部材を収納する収納部を形成し、
前記操作ダイアルを回転させると、前記収納部が弾性変形することで、前記係合部材を前記第１のクリック溝に係合する方向に付勢することを特徴とする電子機器。
【請求項２】
前記保持部材の前記操作ダイアルを保持する面の裏面に配置される配線基板を備え、
前記保持部材の前記操作ダイアルを保持する面の裏面には、前記配線基板に実装されるスイッチを押す押圧部が形成されることを特徴とする請求項１に記載の電子機器。
【請求項３】
前記保持部材は弾性材料で形成され、
前記操作部材は、前記保持部材と前記操作ダイアルとの間に配置され、前記操作ダイアルが回転操作された際の摺動抵抗を小さくする摺動プレートを備えることを特徴とする請求項１または２に記載の電子機器。
【請求項４】
前記収納部は、前記保持部材の周方向に複数形成されることを特徴とする請求項１ないし３のいずれか１項に記載の電子機器。
【請求項５】
前記操作ダイアルは二重円筒形状を有し、外周部に前記複数の第１のクリック溝が形成されるとともに、内周部に複数の第２のクリック溝が形成され、
前記操作部材は、前記操作ダイアルの前記内周部に配置される押圧ボタンを備え、
前記保持部材には、前記押圧ボタンを押圧可能に保持する保持部が形成され、
前記保持部には、前記第２のクリック溝に係脱可能な係合部材が収納され、
前記操作ダイアルを回転させると、前記保持部が弾性変形することで、前記係合部材を前記第２のクリック溝に係合する方向に付勢することを特徴とする請求項１ないし４のいずれか１項に記載の電子機器。
【発明の詳細な説明】
【技術分野】
【０００１】
本発明は、例えば、デジタルスチルカメラ、デジタルビデオカメラ、携帯電話機等の電子機器に関する。
【背景技術】
【０００２】
デジタルスチルカメラ等の電子機器では、例えば機器本体の背面にＬＣＤ等の表示装置を配置し、表示装置に隣接する位置に操作入力装置を配置するものがある。
【０００３】
ところで、近年の電子機器の高機能化により、表示装置が大画面化し、また、操作入力装置についても回転操作部材や押圧操作部材等の複数の操作部材が表示装置に隣接して配置される。
【０００４】
また、回転操作部材には、回転操作時にユーザに対してクリック感を付与するクリック機構を備えるものが多く、この場合、機器本体の内部にクリック機構の占有スペースを確保する必要がある。このため、上述した表示装置の大画面化や操作部材の複雑化とあいまって電子機器の大型化を招く原因になる。
【０００５】
そこで、回転軸部に周方向設けられた複数の凹部からなる係合部と、係合部に径脱可能に係合する鋼球と、鋼球を係合部側に付勢するコイルスプリングや板バネとを有するクリック機構を備える電子機器が提案されている。
【０００６】
この提案では、操作部材の回転操作に伴い、コイルスプリングや板バネにより付勢された鋼球が係合部と係脱を繰り返すことでクリック感を得ることができるとしている。
【先行技術文献】
【特許文献】
【０００７】
【特許文献１】特開２００４−３２７２１８号公報
【発明の概要】
【発明が解決しようとする課題】
【０００８】
しかし、上記特許文献１では、コイルスプリングや板バネについて、強度や耐久性を考慮すると、充分な大きさや長さが必要となる。このため、コイルスプリングや板バネの収納スペースが大きくなり、電子機器の大型化を招くことになる。
【０００９】
また、上記特許文献１では、コイルスプリングや板バネが小さいため、組付けが難しく、部品の紛失等による組立性の悪化が問題となる。
【００１０】
そこで、本発明は、コイルスプリングや板バネを用いないクリック機構を実現することで、電子機器の小型化を図るとともに、組立性の向上を図る仕組みを提供することを目的とする。
【課題を解決するための手段】
【００１１】
上記目的を達成するために、本発明は、操作部材を備える電子機器であって、前記操作部材は、複数の第１のクリック溝が周方向に形成される操作ダイアルと、前記操作ダイアルを回転可能に保持する保持部材とを備え、前記保持部材には、前記第１のクリック溝に係脱可能な係合部材を収納する収納部を形成し、前記操作ダイアルを回転させると、前記第１の収納部が弾性変形することで、前記係合部材を前記第１のクリック溝に係合する方向に付勢することを特徴とする。
【発明の効果】
【００１２】
本発明によれば、クリック機構にコイルスプリングや板バネを必要としないため、電子機器の小型化を図ることができるとともに、組立性の向上を図ることができる。
【図面の簡単な説明】
【００１３】
【図１】（ａ）は本発明の電子機器の第１の実施形態であるデジタルスチルカメラを正面側から見た斜視図、（ｂ）は（ａ）に示すデジタルスチルカメラを背面側から見た斜視図である。（ｃ）は、（ｂ）に示すデジタルスチルカメラの背面カバーを取り外した状態を斜め下方向から見た斜視図である。
【図２】（ａ）は複合操作部材を斜め上から見た分解斜視図、（ｂ）は複合操作部材を斜め下から見た分解斜視図である。
【図３】環状マグネットの平面図である。
【図４】（ａ）は複合操作部材をカメラ本体に組み込んだ状態を示す平面図、（ｂ）は（ａ）のＡ−Ａ線断面図である。
【図５】図４（ｂ）のＣ−Ｃ線断面図である。
【図６】（ａ）は本発明の電子機器の第２の実施形態であるデジタルスチルカメラにおける複合操作部材を斜め上から見た分解斜視図、（ｂ）は複合操作部材を斜め下から見た分解斜視図である。
【図７】（ａ）は複合操作部材をカメラ本体に組み込んだ状態を示す平面図、（ｂ）は（ａ）のＡ−Ａ線断面図である。
【発明を実施するための形態】
【００１４】
以下、本発明の実施形態を図面を参照して説明する。
【００１５】
（第１の実施形態）
図１（ａ）は本発明の電子機器の第１の実施形態であるデジタルスチルカメラを正面側から見た斜視図、図１（ｂ）は図１（ａ）に示すデジタルスチルカメラを背面側から見た斜視図である。図１（ｃ）は、図１（ｂ）に示すデジタルスチルカメラの背面カバーを取り外した状態を斜め下方向から見た斜視図である。
【００１６】
図１（ａ）に示すように、本実施形態のデジタルスチルカメラは、カメラ本体１の正面側（被写体側）に、レンズ鏡筒２やストロボ発光窓３等が設けられ、カメラ本体１の上面には、レリーズボタン５等が設けられている。
【００１７】
また、図１（ａ）及び図１（ｂ）に示すように、カメラ本体１の背面には、ＬＣＤ等の表示装置４、操作ボタン群９、撮影モード設定レバー７、及び複合操作部材１０等が設けられている。複合操作部材１０は、十字キー操作、回転操作、及び押圧操作が可能とされている。
【００１８】
図２（ａ）は複合操作部材１０を斜め上から見た分解斜視図、図２（ｂ）は複合操作部材１０を斜め下から見た分解斜視図である。
【００１９】
図２に示すように、複合操作部材１０は、フレキシブル配線基板１２、操作ダイアル保持部材１０ｃ、摺動プレート１０ｄ、操作ダイアル１０ａ、押圧ボタン１０ｂ、及びカバー部材１０ｇを備える。
【００２０】
フレキシブル配線基板１２には、カメラ本体１を構成するシャーシ１１に突設された位置決め軸１１ａに嵌合される嵌合穴１２ｂが形成されている。フレキシブル配線基板１２には、略中央部に金属ドームスイッチ１０ｅ１が実装され、また、金属ドームスイッチ１０ｅ１の上下左右（十字）にもそれぞれ金属ドームスイッチ１０ｅ２が実装されている。
【００２１】
金属ドームスイッチ１０ｅ１，１０ｅ２の頂点には、スウィートスポットを広げるためのアクチュエータ１０ｅａが取り付けられている。また、フレキシブル配線基板１２には、磁界の強さの変化を検出するホール素子等の検出素子１２ａが所定の位置に複数（本実施形態では、２カ所）実装されている。
【００２２】
操作ダイアル保持部材１０ｃの外周部には、フランジ１０ｃｅが径方向外側に突設されており、フランジ１０ｃｅに形成された穴がフレキシブル配線基板１２から突出する位置決め軸１１ａに嵌合される。これにより、操作ダイアル保持部材１０ｃがフレキシブル配線基板１２上に位置決めされる。ここで、操作ダイアル保持部材１０ｃは、エラストマー等の弾性材料で形成されている。
【００２３】
操作ダイアル保持部材１０ｃには、フレキシブル配線基板１２の金属ドームスイッチ１０ｅ１に対向する穴１０ｃｄが形成されている。また、操作ダイアル保持部材１０ｃの裏面側には、４つの金属ドームスイッチ１０ｅ２を押すための押し軸１０ｃｃが設けられている。
【００２４】
更に、操作ダイアル保持部材１０ｃの表面側の外周部には、鋼球収納部１０ｃａが４つの押し軸１０ｃｃに対して４５°位相をずらして周方向に略等間隔で４カ所設けられている。鋼球収納部１０ｃａの内側を向く面には、鋼球１０ｆを収納する凹部が形成されている。ここで、鋼球１０ｆは、本発明の係合部材の一例に相当する。
【００２５】
また、操作ダイアル保持部材１０ｃの鋼球収納部１０ｃａの内側には、押圧ボタン１０ｂを保持する保持部１０ｃｂが周方向に略等間隔で４カ所設けられている。保持部１０ｃｂの外側を向く面にも、鋼球１０ｆを収納する凹部が形成されている。
【００２６】
本実施形態では、複数の鋼球収納部１０ｃａの凹部および複数の保持部１０ｃｂの凹部のいずれかを選択して鋼球１０ｆを圧入等により収納する。ここで、複数の鋼球収納部１０ｃａは、それぞれ後述する操作ダイアル１０ａのクリック溝１０ａｂと鋼球１０ｆとの間に発生するクリック力が異なるように配置される。
【００２７】
例えば、複数の鋼球収納部１０ｃａと操作ダイアル１０ａの回転軸との距離を夫々異なせたり、もしくは複数の鋼球収納部１０ｃａの肉厚を夫々異なせたりしている。これにより、量産のロットや部品形状寸法のバラツキ等に応じてクリック力を調整出来る為、クリック力の管理や組付け作業が煩雑になるのを防止することができる。
【００２８】
摺動プレート１０ｄは、円盤状に形成され、複数の鋼球収納部１０ｃａと複数の保持部１０ｃｂとの間で、操作ダイアル保持部材１０ｃの上に重なるように配置される。摺動プレート１０ｄは、摩擦係数の小さい金属材料で形成され、操作ダイアル１０ａが回転操作された際の摺動抵抗を小さくする。摺動プレート１０ｄの外周部に突設された位置決め部１０ｄａがシャーシ１１の位置決め軸１１ａに嵌合することで、摺動プレート１０ｄは、操作ダイアル保持部材１０ｃに位置決めされる。摺動プレート１０ｄは、上述した鋼球収納部１０ｃａの凹部または保持部１０ｃｂの凹部に鋼球１０ｆを圧入する前に、操作ダイアル保持部材１０ｃの上に重なるように配置される。これによって、摺動プレート１０ｄを操作ダイアル保持部材１０ｃに組み付ける際に、摺動プレート１０ｄの縁を鋼球１０ｆで損傷させることがない。
【００２９】
摺動プレート１０ｄが操作ダイアル保持部材１０ｃ上に位置決めされると、摺動プレート１０ｄの外周部が鋼球収納部１０ｃａの凹部より下側に当接し、摺動プレート１０ｄの内周部が保持部１０ｃｂの凹部より下側に当接する。
【００３０】
操作ダイアル１０ａは、二重円筒形状に形成されている。操作ダイアル１０ａの外周部にクリック溝１０ａｂが周方向に略等間隔で複数形成されている。（本実施形態では、８つ）操作ダイアル１０ａの内周部にも、クリック溝１０ａｃが周方向に略等間隔で複数形成されている。（本実施形態では、８つ）ここで、クリック溝１０ａｂは、本発明の第１のクリック溝の一例に相当し、クリック溝１０ａｃは、本発明の第２のクリック溝の一例に相当する。
【００３１】
摺動プレート１０ｄを操作ダイアル保持部材１０ｃの上に配置し、鋼球収納部１０ｃａまたは保持部１０ｃｂの凹部に鋼球１０ｆを圧入した後、操作ダイアル１０ａは、摺動プレート１０ｄの上に重なるように配置される。したがって、操作ダイアル保持部材１０ｃの鋼球収納部１０ｃａと保持部１０ｃｂとの間には、摺動プレート１０ｄと操作ダイアル１０ａとが重なって配置される。
【００３２】
鋼球収納部１０ｃａの凹部に鋼球１０ｆを収納した場合には、鋼球収納部１０ｃａと保持部１０ｃｂとの間に、操作ダイアル１０ａを配置すると、操作ダイアル１０ａの外周部は、鋼球収納部１０ｃａに収納された鋼球１０ｆを径方向外側に押す。これによって、鋼球収納部１０ｃａは径方向外側方向に弾性変形した状態で、操作ダイアル保持部材１０ｃは操作ダイアル１０ａを保持する。このとき、鋼球収納部１０ｃａの凹部に収納される鋼球１０ｆは、操作ダイアル１０ａに形成されるクリック溝１０ａｂに係合可能な状態となる。
【００３３】
一方、保持部１０ｃｂの凹部に鋼球１０ｆを収納した場合には、鋼球収納部１０ｃａと保持部１０ｃｂとの間に、操作ダイアル１０ａを配置すると、操作ダイアル１０ａの内周部は、保持部１０ｃｂに収納された鋼球１０ｆを径方向内側に押す。これによって、保持部１０ｃｂは径方向内側に弾性変形した状態で、操作ダイアル保持部材１０ｃは操作ダイアル１０ａを保持する。このとき、保持部１０ｃｂの凹部に収納される鋼球１０ｆは、操作ダイアル１０ａに形成されるクリック溝１０ａｃに係合可能な状態となる。
【００３４】
操作ダイアル１０ａは、操作ダイアル保持部材１０ｃに回転可能に保持される。操作ダイアル１０ａを回転操作すると、鋼球収納部１０ｃａの凹部に収納される鋼球１０ｆとクリック溝１０ａｂとの間で、係脱を繰り返すとともに、保持部１０ｃｂの凹部に収納される鋼球１０ｆとクリック溝１０ａｃとの間で、係脱を繰り返す。これによって、操作ダイアル１０ａの回転操作の際に、クリック力を得ることができる。
【００３５】
操作ダイアル１０ａの裏面には、環状マグネット１０ａａがインサート成形されている。本実施形態では、環状マグネット１０ａａは、図３に示すように、周方向にＮ極とＳ極とが交互に８極ずつ着磁され、着磁パターンの角度ピッチが２２．５°とされている。
【００３６】
また、フレキシブル配線基板１２に２つの検出素子１２ａが周方向に１６８．７５°離間して実装されている。操作ダイアル１０ａの回転操作に伴って、環状マグネット１０ａａが回転することで、検出素子１２ａに加わる磁場が変化して、回転量と回転方向を検出するロータリエンコーダとして機能する。
【００３７】
なお、操作ダイアル１０ａに取り付けられた摺動子（ブラシ）が摺動パターン上を摺接して回転量と回転方向を検出するロ−タリエンコーダであっても良い。
【００３８】
押圧ボタン１０ｂは、フレキシブル配線基板１２の略中央部に実装された金属ドームスイッチ１０ｅ１を押すための押し軸１０ｂａを有する。ここで、押し軸１０ｂａは、本発明の押圧部の一例に相当する。押圧ボタン１０ｂを操作ダイアル１０ａの中央に挿入すると、押し軸１０ｂａは操作ダイアル保持部材１０ｃの中心部の穴１０ｃｄを貫通する。このとき、押圧ボタン１０ｂの保持片１０ｂｂは、操作ダイアル保持部材１０ｃの保持部１０ｃｂで保持されて、押圧ボタン１０ｂの回転止めがなされる。これによって、操作ダイアル保持部材１０ｃは、押圧ボタン１０ｂを押圧可能に保持する。
【００３９】
カバー部材１０ｇは、操作ダイアル１０ａと押圧ボタン１０ｂの間に挿入され、３カ所の保持爪１０ｇａが操作ダイアル保持部材１０ｃに形成される係止穴１０ｃｆに係合する。これによって、カバー部材１０ｇは操作ダイアル保持部材１０ｃに対する回転が規制される。また、カバー部材１０ｇの内周部には、押圧ボタン１０ｂのフランジ部１０ｂｃに係合することで押圧ボタン１０ｂの抜け止めとして機能する段差が設けられている。
【００４０】
本実施形態では、操作ダイアル保持部材１０ｃとカバー部材１０ｇとの間に摺動プレート１０ｄ、操作ダイアル１０ａ、押圧ボタン１０ｂを挟んだ状態で、カバー部材１０ｇの保持爪１０ｇａが操作ダイアル保持部材１０ｃにスナップフィット結合される。
【００４１】
図４（ａ）は複合操作部材１０をカメラ本体１に組み込んだ状態を示す平面図、図４（ｂ）は図４（ａ）のＡ−Ａ線断面図、図５は図４（ｂ）のＣ−Ｃ線断面図である。
【００４２】
図４に示すように、複合操作部材１０をカメラ本体１に組み付けた状態では、操作ダイアル保持部材１０ｃ、摺動プレート１０ｄ、押圧ボタン１０ｂおよびカバー部材１０ｇの回転が規制され、操作ダイアル１０ａのみの回転操作が可能となる。
【００４３】
そして、複合操作部材１０のフレキシブル配線基板１２以外の部分は、位置決め軸１１ａに拘束されて揺動可能とされている。
【００４４】
したがって、操作ダイアル１０ａの上下左右いずれかの部分を押すことで、操作ダイアル１０ａが押した方向に傾いて操作ダイアル保持部材１０ｃの４つの押し軸１０ｃｂのいずれかで金属ドームスイッチ１０ｅ２が押され、これにより、４方向キーとして機能する。また、押圧ボタン１０ｂを押圧操作することで、押圧ボタン１０ｂの押し軸１０ｂａにより金属ドームスイッチ１０ｅ１が押されることになる。
【００４５】
更に、操作ダイアル１０ａを回転操作すると、操作ダイアル１０ａの外周部が鋼球収納部１０ｃａに収納された鋼球１０ｆに対して摺動しながら回転する。このとき、操作ダイアル保持部材１０ｃの鋼球収納部１０ｃａは、操作ダイアル１０ａの外周部により鋼球１０ｆを介して径方向Ｂの外側に押されて弾性変形しているため、径方向内側への付勢力を発生させている。
【００４６】
操作ダイアル１０ａのクリック溝１０ａｂが鋼球１０ｆの位置に達すると、鋼球収納部１０ｃａの径方向内側への付勢力によりクリック溝１０ａｂに鋼球１０ｆが係合してクリック力が発生する。
【００４７】
また、操作ダイアル保持部材１０ｃの鋼球収納部１０ｃａの周方向の両側には、図５に示すように、径方向内方に向けて切り欠かれた切欠き部１０ｃｅが形成されている。これにより、鋼球収納部１０ｃａの径方向の変形量が増加して、操作ダイアル１０の回転操作時におけるクリック力を低トルクで得ることができ、操作性及び耐久性の向上を図ることが出来る。
【００４８】
なお、本実施形態では、複数の鋼球収納部１０ｃａの凹部および複数の保持部１０ｃｂの凹部のいずれかを選択してに鋼球１０ｆを収納しているが、これに限定されない。
【００４９】
例えば、図５に二点鎖線（鋼球１０ｆ）で示すように、周方向に互いに１８０°離間配置された２つ鋼球収納部１０ｃａの凹部にそれぞれ鋼球１０ｆを収納するようにしてもよい。このようにすると、操作ダイアル１０ａの回転操作時にクリック力が分散されて、操作ダイアル１０ａの傾き、偏心等を抑制することができる。
【００５０】
また、保持部１０ｃｂの凹部に鋼球１０ｆを収納するようにしてもよい。
【００５１】
この場合、保持部１０ｃｂの凹部に収納された鋼球１０ｆと操作ダイアル１０ａの内周部に形成されたクリック溝１０ｃとの間でクリック力を発生させる。保持部１０ｃｂは、押圧ボタン１０ｂを保持することから、鋼球収納部１０ｃａに比べて径方向の変形量が小さい。
【００５２】
したがって、保持部１０ｃｂの凹部に鋼球１０ｆを収納する方が、鋼球収納部１０ｃａの凹部に鋼球１０ｆを収納する場合に比べて大きなクリック力を発生させる。このため、用途に応じて機種毎に使い分けることが可能となる。
【００５３】
以上説明したように、本実施形態では、操作ダイアル保持部材１０ｃの鋼球収納部１０ｃａの弾性力を用いて操作ダイアル１０ａのクリック溝１０ａｂに鋼球１０ｆを係合させて操作ダイアル１０ａの回転操作時にクリック力を発生させている。これにより、複合操作部材１０のクリック機構に従来必要であったコイルスプリングや板バネが不要となり、コイルスプリングや板バネの収納スペースが削減されて、複合操作部材１０の小径化ひいてはデジタルスチルカメラの小型化を図ることができる。
【００５４】
また、本実施形態では、小さなコイルスプリングや板バネの組付け作業が不要になるため、デジタルスチルカメラの組立性の向上を図ることができる。
【００５５】
（第２の実施形態）
次に、図６及び図７を参照して、本発明の電子機器の第２の実施形態であるデジタルスチルカメラについて説明する。なお、本実施形態では、上記第１の実施形態に対して重複又は相当する部分の符号を流用しつつ相違点についてのみ説明する。
【００５６】
図６（ａ）は本発明の電子機器の第２の実施形態であるデジタルスチルカメラにおける複合操作部材を斜め上から見た分解斜視図、図６（ｂ）は複合操作部材を斜め下から見た分解斜視図である。図７（ａ）は複合操作部材をカメラ本体１に組み込んだ状態を示す平面図、図７（ｂ）は図７（ａ）のＡ−Ａ線断面図である。
【００５７】
本実施形態では、フレキシブル配線基板１２から突出するシャーシ１１の位置決め軸１１ａが２本設けられている。これに対応して、位置決め軸１１ａに嵌合される操作ダイアル保持部材１０ｃのフランジ１０ｃｅ及び摺動プレート１０ｄの位置決め部１０ｄａは、それぞれ周方向に互いに１８０°離間して２カ所設けられている。
【００５８】
また、鋼球収納部１０ｃａは、操作ダイアル保持部材１０ｃの表面側に一箇所設けられ、鋼球１０ｆが収納される凹部は、操作ダイアル１０ａの底面側に開口している。鋼球収納部１０ｃａには、上記第１の実施形態と同様に、摺動プレート１０ｄの外周部が当接する。
【００５９】
また、操作ダイアル１０ａの底面には、鋼球収納部１０ｃａに収納された鋼球１０ｆが係脱可能に係合する複数（本実施形態では、８つ）のクリック溝１０ａｂが周方向に略等間隔で形成されている。
【００６０】
本実施形態では、操作ダイアル１０ａは、底面部で鋼球収納部１０ｃａに収納された鋼球１０ｆをシャーシ１１側の方向に押して鋼球収納部１０ｃａを同方向に弾性変形させた状態で操作ダイアル保持部材１０ｃに組み込まれる。
【００６１】
なお、本実施形態では、操作ダイアル１０ａの底面に設けられる環状マグネット１０ａａをクリック溝１０ａｂの内周側に配置しているが、環状マグネット１０ａａをクリック溝１０ａｂが形成される領域に配置してもよい。
【００６２】
このようにすると、環状マグネット１０ａａに鋼球１０ｆが磁気吸引されることにより、操作ダイアル１０ａの回転トルク及びクリック力を強く設定することができる。また、磁気吸引による鋼球１０ｆの脱落防止の効果も得られる。
【００６３】
本実施形態では、操作ダイアル１０ａを回転操作すると、操作ダイアル１０ａの底面部が鋼球収納部１０ｃａに収納された鋼球１０ｆに対して摺動しながら回転する。
【００６４】
このとき、操作ダイアル保持部材１０ｃの鋼球収納部１０ｃａは、操作ダイアル１０ａの底面部により鋼球１０ｆを介して回転軸方向Ｄのシャーシ１１側に押されて弾性変形しているため、操作ダイアル１０ａの底面側への付勢力を発生させている。
【００６５】
従って、操作ダイアル１０ａのクリック溝１０ａｂが鋼球１０ｆの位置に達すると、鋼球収納部１０ｃａの操作ダイアル１０ａの底面側への付勢力によりクリック溝１０ａｂに鋼球１０ｆが係合してクリック力が発生する。
【００６６】
以上説明したように、本実施形態では、鋼球収納部１０ｃａに鋼球１０ｆの組み込まれる方向と操作ダイアル１０ａの組み込み方向（回転軸方向）とが一致している。
【００６７】
したがって、上記第１の実施形態のように、操作ダイアル１０ａを操作ダイアル保持部材１０ｃに組み込む際に、操作ダイアル１０ａの外周部で鋼球１０ｆを介して鋼球収納部１０ｃａを径方向Ｂ外側に押して弾性変形させる作業を必要としない。このため、複合操作部材の組立性が向上する。
【００６８】
その他の構成、及び作用効果は、上記第１の実施形態と略同一であるため、第１の実施形態に対して重複又は相当する部分については、各図に同一符号を付してその説明を省略する。
【００６９】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００７０】
１  カメラ本体
１０  複合操作部材
１０ａ  操作ダイアル
１０ｂ  押圧ボタン
１０ｃ  操作ダイアル保持部材
１０ｃａ  鋼球収納部
１０ｄ  摺動プレ−ト
１０ｅ  金属ドームスイッチ
１０ｆ  鋼球
【図１】
2013097970.tif 000003
【図２】
2013097970.tif 000004
【図３】
2013097970.tif 000005
【図４】
2013097970.tif 000006
【図５】
2013097970.tif 000007
【図６】
2013097970.tif 000008
【図７】
2013097970.tif 000009